(57)【要約】【目的】本発明は便座コントローラの電源として電池を使用せず、自然エネルギーから発電した電力を使用するため地球環境にもやさしく、かつ災害時には、ラジオ・携帯電話などへも電源供給できることが出来るエコエネルギー発電電力使用型温水洗浄便座を提供することを目的とする。【構成】電力により作動する便座コントローラと、便座コントローラが発するワイヤレス操作信号を受信して稼働する温水洗浄便座と、を有する温水洗浄便座装置において、ホルダー芯にトイレットペーパーが保持されて収納されたトイレットペーパーホルダーと、使用時に回転するホルダー芯の回転力を増加させるギア機構と、該ギア機構により増加された回転力により発電するダイナモと、発電した電力を充電する充電部と、を有し、充電された電力を便座コントローラの電源とすることを特徴とする。【選択図】              図１
2013224552.tif 000002
【特許請求の範囲】
【請求項１】
電力により作動する便座コントローラと、前記便座コントローラが発するワイヤレス操作信号を受信して稼働する温水洗浄便座と、を有する温水洗浄便座装置において、
ホルダー芯にトイレットペーパーが保持されて収納されたトイレットペーパーホルダーと、使用時に回転するホルダー芯の回転力を増加させるギア機構と、該ギア機構により増加された前記回転力により発電するダイナモと、前記発電した電力を充電する充電部と、を有し、前記充電された電力を前記便座コントローラの電源とする、
ことを特徴とするエコエネルギー発電電力使用型温水洗浄便座。
【請求項２】
電力により作動する便座コントローラと、前記便座コントローラが発するワイヤレス操作信号を受信して稼働する温水洗浄便座と、を有する温水洗浄便座装置において、
ホルダー芯にトイレットペーパーが保持されて収納されたトイレットペーパーホルダーと、使用時に回転するホルダー芯の回転力を増加させるギア機構と、該ギア機構により増加された前記回転力により発電するダイナモと、ペーパーフォルダーのカバー表面に貼着され、光により発電するソーラーフィルムと、前記各々発電した電力を充電する充電部と、を有し、前記充電された電力を前記便座コントローラの電源とする、
ことを特徴とするエコエネルギー発電電力使用型温水洗浄便座。
【請求項３】
前記充電部には、非常用の発電装置として設けられた、押圧式発電装置からの電力及び／または強制ダイナモ回転装置で得られた回転力から発電するダイナモからの電力を充電する、
ことを特徴とする請求項１または請求項２記載のエコエネルギー発電電力使用型温水洗浄便座。
【発明の詳細な説明】
【技術分野】
【０００１】
本発明は、例えば、トイレットペーパー引っ張り時に回転するホルダー芯の回転エネルギーなどから発電した電力を便座コントローラの操作用電力などに使用するエコエネルギー発電電力使用型温水洗浄便座に関するものである。
【背景技術】
【０００２】
近年、我が国では、トイレ用便座につき、単なる暖房便座の開発にとどまらず、いわゆる温水洗浄便座が主流になってきている。
【０００３】
そして、便座コントローラと便座とは分離されて、例えば、トイレの水を流すときなどの操作部となる便座コントローラは、便座に座って操作し易い位置に設置されていることが一般的となっている。
【０００４】
この操作部となる便座コントローラは、工事費の削減と意匠的な面からいわゆるワイヤレス化されており、トイレットペーパーホルダーに非常に近い位置に設置されるのが常である。そしてその電源としては、一般的に電池が使用されている。
【０００５】
日々の技術的進歩によって電池寿命は比較的長くなっているもの、最終的には電池は消耗品であり、消耗して使用できなくなる。
【０００６】
そして、場合によっては使用できなくなることが突然起こるので、前記便座コントローラが操作できなくなってしまったトイレ利用者は、一瞬パニックに陥ることが多いと報告されている。
【先行技術文献】
【特許文献】
【０００７】
【特許文献１】特開２０１０−２７５７２８号公開公報
【発明の概要】
【発明が解決しようとする課題】
【０００８】
かくして、本発明は前記従来の課題を解決するために創案されたものであって、便座コントローラの電源として電池を使用せず、もって、電池の消耗を気づかない結果、前記便座コントローラが操作できなくなってしまうことが突然起こることがなく、自然エネルギーから発電した電力を使用するため地球環境にもやさしく、かつ災害時には、ラジオ・携帯電話などへも電源供給できることが出来るエコエネルギー発電電力使用型温水洗浄便座を提供することを目的とするものである。
【課題を解決するための手段】
【０００９】
本発明によるエコエネルギー発電電力使用型温水洗浄便座は、
電力により作動する便座コントローラと、前記便座コントローラが発するワイヤレス操作信号を受信して稼働する温水洗浄便座と、を有する温水洗浄便座装置において、
ホルダー芯にトイレットペーパーが保持されて収納されたトイレットペーパーホルダーと、使用時に回転するホルダー芯の回転力を増加させるギア機構と、該ギア機構により増加された前記回転力により発電するダイナモと、前記発電した電力を充電する充電部と、を有し、前記充電された電力を前記便座コントローラの電源とする、
ことを特徴とし、
または、
電力により作動する便座コントローラと、前記便座コントローラが発するワイヤレス操作信号を受信して稼働する温水洗浄便座と、を有する温水洗浄便座装置において、
ホルダー芯にトイレットペーパーが保持されて収納されたトイレットペーパーホルダーと、使用時に回転するホルダー芯の回転力を増加させるギア機構と、該ギア機構により増加された前記回転力により発電するダイナモと、ペーパーフォルダーのカバー表面に貼着され、光により発電するソーラーフィルムと、前記各々発電した電力を充電する充電部と、を有し、前記充電された電力を前記便座コントローラの電源とする、
ことを特徴とし、
または、
前記充電部には、非常用の発電装置として設けられた、押圧式発電装置からの電力及び／または強制ダイナモ回転装置で得られた回転力から発電するダイナモからの電力を充電する、
ことを特徴とするものである。
【発明の効果】
【００１０】
本発明によれば、便座コントローラの電源として電池を使用せず、もって、電池の消耗を気づかない結果、前記便座コントローラが操作できなくなってしまうことが突然起こることがなく、自然エネルギーから発電した電力を使用するため地球環境にもやさしく、かつ災害時には、ラジオ・携帯電話などへも電源供給できることが出来るなど優れた効果を奏する。
【図面の簡単な説明】
【００１１】
【図１】本発明の構成を説明する説明図（１）である。
【図２】本発明の構成を説明する説明図（１）である。
【図３】本発明の構成を説明する説明図（１）である。
【図４】ソーラーフィルムによる発電の原理を説明する説明図である。
【図５】押圧発電装置による発電の原理を説明する説明図である。
【発明を実施するための形態】
【００１２】
以下、本発明を図に示す実施例に基づいて説明する。
【実施例１】
【００１３】
図１に示す第1実施例の概略図に基づいて説明する。
【００１４】
図１において符号1は、便座コントローラを示す。
【００１５】
該便座コントローラ１は、温水洗浄便座の温水噴射をワイヤレス操作信号などワイヤレスで送受信することにより制御する各種ボタン部３を有して構成されている。
【００１６】
また、本実施例による便座コントローラ１は、電源として電池を必要とせず、いわゆる後述するエコエネルギーによる発電電力を電源としている。
【００１７】
符号４は、トイレットペーパーホルダーであり、該トイレットペーパーホルダー４には、ホルダー芯２にトイレットペーパー５が装着されている。
【００１８】
また、ホルダー芯の一端側には第１ギア６が取り付けられ、前記ホルダー芯が回転すると、この第１ギア６も同様に回転するよう構成されている。符号７は前記第１ギア６より小径に構成された第２ギアであり、第１ギア６の回転力を数倍の回転力に変換するものとされている。
【００１９】
そして、第２ギア７の回転軸８はダイナモ９の回転軸と連結されて、第２ギア８の回転力によりダイナモ９が稼働し、発電するよう構成されている。
【００２０】
そして、前記ダイナモ９で発電された電力は便座コントローラ１内に設けられた充電部１０に充電されるよう構成されている。
【００２１】
符号１１は非常用発電ハンドルであり、例えば前記充電部１０に便座コントローラ１を稼働操作するだけの充分な電力が充電されていない場合に、該非常用発電ハンドル１１を手動で回転させ、その回転力によって連結ギア１２を介してダイナモ９で発電出来る様構成してある。
【００２２】
なお、トイレットペーパーホルダー４のカバー上には、ソーラーフィルム１３が貼着されており、該ソーラーフィルム１３が光を受けて、発電できる構成としてある。例えば、前記ソーラーフィルムに１３に光１４が当たると、プラスとマイナスを有する粒子（正孔と電子）が発生し、マイナスの電気はｎ型シリコン１５側へ、プラスの電気はｐ型シリコン１６側へ集まる。その結果電極に電流が流れ、充電部１０で充電されるものとなる。
【００２３】
符号１７は押圧式発電装置を示す。該押圧式発電装置１７における発電方式の一例については図によって説明する。
【００２４】
図から理解されるように、例えば押しボタン１８を押圧すると、逆磁歪効果現象が生ずる。磁歪効果とは，磁化すると形状が変化する現象のことをいい、逆磁歪効果現象は応力を加える（押圧すること）ことにより、形状を変化させる。そして、形状を変化させることにより磁化が変化し、磁束が変化する。そして、磁束が変化すると誘導電圧が発生して、電力を効率的に取り出せるのである。
【００２５】
図において、符号１９は、例えば、Fe（鉄）とGa（ガリウム）の合金で構成した磁歪板であり、該磁歪板１９の外周にはコイル２０が巻回されている。
【００２６】
この状態で磁歪板１９の側面を押圧すると、磁歪板１９の曲げ変形が生じ、これに伴い磁束の増加、減少が起こる。そして、この磁束変化により、コイル２０に誘導電圧が発生し、該コイル２０より電力が取り出せるのである。
【００２７】
次に、本発明の使用状態につき説明する。
【００２８】
トイレットペーパーホルダー４に装着されているトイレットペーパー５を使用すべく、トイレットペーパー５を引き出す。すると、ホルダー芯が回転し、同様に第１ギア６が回転する。この回転力は第２ギア６によりアップされ、アップされた回転力はダイナモ９での発電となる。発電された電力は充電部１０へ送出される。
【００２９】
また、ソーラーフィルム１３によっても発電出来る様になっており、これにより発電した電力は充電部１０に送出される。
【００３０】
さらに、押圧発電装置１７や非常用発電ハンドル１１も低コストで取り付けることが出来、これらをミックスして使用することにより、常時電力を生成でき、便座コントローラ１の電源用電力を電池に頼らず生成できるものとなる。
【産業上の利用可能性】
【００３１】
前記充電部１０に電源プラグを設けておけば、この電源プラグにより電力の供給が受けられて、非常時のラジオや携帯電話の電力が確保出来ることになる。
【符号の説明】
【００３２】
１      便座コントローラ
３      ボタン部
４      トイレットペーパーホルダー
５      トイレットペーパー
６      第１ギア
７      第２ギア
８      回転軸
９      ダイナモ
１０    充電部
１１    非常用発電ハンドル
１２    連結ギア
１３    ソーラーフィルム
１４    光
１５    ｎ型シリコン
１６    ｐ型シリコン
１７    押圧式発電装置
１８    押しボタン
１９    磁歪板
２０    コイル
【図１】
2013224552.tif 000003
【図２】
2013224552.tif 000004
【図３】
2013224552.tif 000005
【図４】
2013224552.tif 000006
【図５】
2013224552.tif 000007